(57)【要約】【課題】セキュリティを下げることなく、管理者によるビルの管理を容易に行えるようにし、また、無線カードの紛失などによる他人の侵入を防いでセキュリティを確保する。【解決手段】各階のホール毎に無線カード１０２ａ〜１０２ｃと指紋認証装置１０４ａ〜１０４ｃとを統合する無線・指紋共通制御装置１０６ａ〜１０６ｃにおいて、無線カードあるいは指紋にて乗客を認証した際に、その乗客に対応した利用階情報に基づいて行先階を自動登録する。その際に、管理者であることを認証した場合には管理者用のオペレーションに切り替えて任意の階へ移動可能とする。また、無線カードを紛失した場合にそのカードＩＤを認証拒否データとしてデータベース２０３ａ〜２０３ｃに登録しておくことで、当該カードを用いた認証を拒否して不正利用を防止する。【選択図】      図２
2005096945.tif 000002
【特許請求の範囲】
【請求項１】
個人認証用の無線カードと指紋認証装置を併用したエレベータのセキュリティシステムにおいて、
上記無線カードおよび上記指紋認証装置のうちの少なくとも一方を用いて乗客を認証する認証手段と、
この認証手段によって認証された乗客が管理者以外の一般乗客であった場合に、その一般乗客に対応した利用階情報に基づいて行先階を自動登録する行先階自動登録手段と、
上記管理者であった場合に、その管理者用のオペレーションに切り替えて任意の階を登録可能とする制御手段と
を具備したことを特徴とするエレベータのセキュリティシステム。
【請求項２】
個人認証用の無線カードと指紋認証装置を併用したエレベータのセキュリティシステムにおいて、
上記無線カードおよび上記指紋認証装置のうちの少なくとも一方を用いて乗客を認証する認証手段と、
この認証手段によって認証された乗客に対応した利用階情報に基づいて行先階を自動登録する行先階自動登録手段と、
上記認証手段により上記無線カードを用いて乗客を認証する際に、上記無線カードが認証用として有効なカードであるか否かを判断する判断手段と、
この判断手段によって有効なカードでないと判断された場合に、上記無線カードを用いた認証を拒否する制御手段と
を具備したことを特徴とするエレベータのセキュリティシステム。
【請求項３】
予め認証拒否すべきカードとして指定された無線カードのＩＤを記憶しておく記憶手段を備え、
上記判断手段は、上記無線カードのＩＤと上記記憶手段に記憶されたＩＤとを比較することにより、その比較結果に応じて上記無線カードが認証用として有効なカードであるか否かを判断することを特徴とする請求項２記載のエレベータのセキュリティシステム。
【発明の詳細な説明】
【技術分野】
【０００１】
本発明は、無線カードと指紋認証装置を統合可能な共通制御盤を備えたエレベータのセキュリティシステムに関する。
【背景技術】
【０００２】
エレベータのセキュリティシステムとして、無線カードを利用したセキュリティシステムが知られている（例えば、特許文献１）。このセキュリティシステムでは、ビル内の各階のホールにて無線カードの情報を読み取ることにより、その無線カードを持つ乗客を認証してエレベータの運行を制御している。
【０００３】
ここで、無線カードによる認証を実現するため、従来のシステムでは、全てのカード情報を予めエレベータの制御盤に登録しておく必要があった。このため、例えば引っ越しなどにより、当該ビル内のエレベータを利用する乗客に変更が生じると、その都度、上記カード情報の登録内容を変更しなければならなかった。
【０００４】
通常、上記カード情報の変更はビル内にいる管理者に任されているが、その変更作業は非常に面倒であり、また、誰でも簡単に行うことができないことから、エレベータ保守業者へ依頼することが多い。しかし、乗客の変更が頻繁にあると、その度にエレベータ保守業者へ依頼しなくてはならないため、その費用がかかるだけでなく、また、依頼してから保守員が現場に出向いてメンテナンスを行うまでに時間を要してしまうなどの問題があった。
【特許文献１】特開平１１−１１８０７号公報
【発明の開示】
【発明が解決しようとする課題】
【０００５】
上述したようなメンテナンスの問題を解消するために、無線カードに利用階情報（その乗客が利用できる階を示した情報）を登録しておき、各階のホールにて無線カードの利用階情報を読み込むことで、当該乗客の行先階を自動登録するシステムが考えられている。このようなシステムによれば、ビル内の乗客に変更があった場合でも、無線カードを取り替えるだけで対応できるため、メンテナンスの負担を軽減することができる。
【０００６】
しかしながら、その反面、制御盤側でカード情報を管理しないため、無線カードを紛失するなどして他人の手に渡ると、その無線カードを用いてビル内を侵入する可能性があるため、セキュリティレベルが下がるといった問題が生じる。
【０００７】
また、乗客に対応した利用階情報に基づいて行先階を自動登録するオペレーションを用いた場合において、その行先階として登録できる階は１箇所だけである。すなわち、例えば玄関ホールが１階にあるマンションにおいて、４階に住んでいる乗客であれば、４階と１階が利用階情報として指定される。したがって、このような利用階情報を元にして行先階の自動登録を行うと、４階ホールでは１階が行先階として自動登録され、１階ホールでは４階が行先階として自動登録されることになる。
【０００８】
ここで、ビルの管理者は、その業務上、エレベータに乗って各階へ自由に移動しなければならない。しかし、上述したような行先階の自動登録を行うオペレーションを用いた場合に、管理者は複数枚の無線カードを持ち歩かないと、ビル内のすべての階へ自由に移動することができない。
【０００９】
この場合、高層ビルのように階床数が多いビルでは、その分、管理者が持ち歩く無線カードの枚数も非常に多くなり、また、誤って目的とする階以外の無線カードで認証されてしまったときに無駄な運転が発生するなど、ビルの管理を行う上では非常に使いづらいといった問題があった。
【００１０】
本発明は上記のような点に鑑みてなされたもので、セキュリティを下げることなく、管理者によるビルの管理を容易に行えるようにし、また、無線カードの紛失などによる他人の侵入を防いでセキュリティを確保することのできるエレベータのセキュリティシステムを提供することを目的とする。
【課題を解決するための手段】
【００１１】
本発明は、個人認証用の無線カードと指紋認証装置を併用したエレベータのセキュリティシステムにおいて、上記無線カードおよび上記指紋認証装置のうちの少なくとも一方を用いて乗客を認証する認証手段と、この認証手段によって認証された乗客が管理者以外の一般乗客であった場合に、その一般乗客に対応した利用階情報に基づいて行先階を自動登録する行先階自動登録手段と、上記管理者であった場合に、その管理者用のオペレーションに切り替えて任意の階を登録可能とする制御手段とを具備して構成される。
【００１２】
このような構成によれば、無線カードと指紋認証による二重セキュリティを持つシステムにおいて、無線カードと指紋認証の少なくとも一方を用いて乗客が認証された場合に、その乗客が一般乗客であれば、その一般乗客に対応した利用階情報に基づいて行先階の自動登録がなされる。一方、管理者であった場合には、その管理者用のオペレーションに切り替えられて任意の階を登録可能な状態に設定される。
【００１３】
また、本発明は、個人認証用の無線カードと指紋認証装置を併用したエレベータのセキュリティシステムであって、上記無線カードおよび上記指紋認証装置のうちの少なくとも一方を用いて乗客を認証する認証手段と、この認証手段によって認証された乗客に対応した利用階情報に基づいて行先階を自動登録する行先階自動登録手段と、上記認証手段により上記無線カードを用いて乗客を認証する際に、上記無線カードが認証用として有効なカードであるか否かを判断する判断手段と、この判断手段によって有効なカードでないと判断された場合に、上記無線カードを用いた認証を拒否する制御手段とを具備して構成される。
【００１４】
このような構成によれば、無線カードと指紋認証による二重セキュリティを持つシステムにおいて、無線カードと指紋認証の少なくとも一方を用いて乗客が認証された場合に、その乗客に対応した利用階情報に基づいて行先階の自動登録がなされる。その際、無線カードを用いた認証であれば、その無線カードが認証用として有効なカードであるか否かが判断され、有効なカードでないと判断された場合には当該無線カードを用いた認証が拒否される。
【００１５】
無線カードが有効なカードであるか否かの判断は、予め認証拒否すべきカードとして指定された無線カードのＩＤを記憶した記憶手段を備えることで、認証の際に上記無線カードのＩＤと上記記憶手段に記憶されたＩＤとを比較することにより行われる。
【発明の効果】
【００１６】
本発明のエレベータのセキュリティシステムによれば、一般乗客に対して利用階情報に基づく行先階の自動登録を行うことにより、他の階への利用を規制してセキュリティレベルを上げることができ、一方、管理者に対しては管理者用のオペレーションに切り替えることで任意の階への登録を可能として自由に移動させることができる。これにより、特に無線カードを用いた認証を行う場合において、管理者は１枚のカードで各階のホールで自分を認証させるだけで、全ての階を自由に行くことができるようになり、ビルの管理業務をやりやすくなる。
【００１７】
また、無線カードを用いた認証を行う場合において、無線カードを紛失するなどした際に、そのカードのＩＤを認証拒否すべきカードとして指定されたＩＤとして登録しておけば、当該カードが用いた認証が拒否されるので、他人がその紛失した無線カードを不正利用してビル内に侵入することを防止することができる。
【発明を実施するための最良の形態】
【００１８】
以下、図面を参照して本発明の実施形態を説明する。
【００１９】
図１は本発明の一実施形態に係るエレベータのセキュリティシステムの構成を示すブロック図であり、無線カードと指紋認証を併用した二重セキュリティシステムとしての構成が示されている。
【００２０】
図１において、図中の１０１ａ〜１０１ｃはビル内の各階のホール（エレベータの乗り場）である。本システムでは、これらのホールにて無線カードと指紋認証を併用して乗客を認証することにより、その乗客に対するエレベータの運行を制御している。なお、ここでは３つのホールしか図示されていないが、さらに多数のホールがある場合にも、これらのホールに対して同様のセキュリティ構成がなされる。
【００２１】
ホール１０１ａ〜１０１ｃ内において、１０２ａ〜１０２ｃは無線カード、１０３ａ〜１０３ｃはアンテナ、１０４ａ〜１０４ｃは指紋認証装置である。
【００２２】
無線カード１０２ａ〜１０２ｃは、無線機能を備えた認証用のカードである。この無線カード１０２ａ〜１０２ｃには、利用階情報と認証情報が格納されている。利用階情報とは、乗客がエレベータを利用することのできる階を示した情報であり、ビルを出入りするために必要な２つの階（例えばマンションであれば、玄関ホールのある階と住居階）が指定されている。認証情報は、乗客を認証するのに必要な情報（乗客名など）の他に、各カード毎に固有のＩＤ情報（識別情報）を含む。
【００２３】
なお、無線カード１０２ａ〜１０２ｃに適用される無線システムについては、特に限定されるものではなく、一般的に知られているＢｌｕｅｔｏｏｔｈ（Ｒ）等の近距離無線システムなどを用いるものとする。
【００２４】
アンテナ１０３ａ〜１０３ｃは、ホール１０１ａ〜１０１ｃ内の所定の位置に設置されており、無線カード１０２ａ〜１０２ｃから無線電波にて発信される情報（利用階情報と認証情報）を受信する。このアンテナ１０３ａ〜１０３ｃにて受信されたカード情報は、通信ケーブルを介して後述するエレベータ各階ボックス内の無線・指紋共通制御装置１０６ａ〜１０６ｃに伝送される。
【００２５】
一方、指紋認証装置１０４ａ〜１０４ｃは、指紋パターンによる認証を行うための装置であって、ホール１０１ａ〜１０１ｃ内の所定の位置に指紋センサ画面を有し、そこに押し付けられた指先の指紋パターンを読み取って照合処理を行う。指紋パターンの照合後、その乗客に対応した利用階情報と認証情報を同装置内に設けられた図示せぬデータベースから読み出し、これらの情報を通信ケーブルを介して後述するエレベータ各階ボックス内の無線・指紋共通制御装置１０６ａ〜１０６ｃに伝送する。
【００２６】
なお、指紋認証装置１０４ａ〜１０４ｃにおける指紋パターンの読み取り方法やその照合方法についても特に限定されるものではなく、一般的に知られている方法を用いるものとする。
【００２７】
また、同図において、１０５はエレベータの昇降路、１０６ａ〜１０６ｃは無線・指紋共通制御装置、１０７はエレベータインターフェース（Ｉ／Ｆ）、１０８はエレベータ制御盤、１０９は乗りかご、１１０はかご内スイッチである。１１１はメンテナンス用スイッチ類ボックス、１１２はテンキー、１１３〜１１６はメンテナンス用スイッチ類、１１７は無電圧接点エレベータ用インターフェース（Ｉ／Ｆ）、１１８ａ〜１１８ｃはエレベータ各階ボックス、１１９はＨＵＢ、１２０ａ〜１２０ｃはホール呼びボタンを示している。
【００２８】
エレベータの各階ボックス１１８ａ〜１１８ｃ内には、無線カードと指紋認証装置を統合する無線・指紋共通制御装置１０６ａ〜１０６ｃが設置されている。なお、この無線・指紋共通制御装置１０６ａ〜１０６の具体的な構成とその詳しい動作については後に図２を参照して説明する。これらの無線・指紋共通制御装置１０６ａ〜１０６ｃは、ＨＵＢ１１９によって連結され、さらに、エレベータインターフェース１０７を介して主制御装置であるエレベータ制御盤１０８に接続されている。
【００２９】
エレベータ制御盤１０８は、例えばビルの最上階の上にある機械室内に設置されており、エレベータ全体の運行制御を行う。このエレベータ制御盤１０８は、例えばホール呼びボタン１２０ａ〜１２０ｃの操作によって発信されるホール呼び信号を受信して乗りかご１０９をそのホール呼びに応答させたり、かご内スイッチ１１０の操作によって発信される行先階指定信号を受信して乗りかご１０９をその行先階へ移動させるなどの制御を行う。
【００３０】
乗りかご１０９は、エレベータ制御盤１０８によって駆動制御される図示せぬ巻上機を介して昇降路１０５内を昇降動作する。この乗りかご１０９には、行先階を指定するためのスイッチ１１０が設けられている。
【００３１】
また、例えば管理人室などにメンテナンス用スイッチ類ボックス１１１が設置されている。このメンテナンス用スイッチ類ボックス１１１には、テンキー１１２やメンテナンス用スイッチ類１１３〜１１６が設けられている。
【００３２】
ここで、本実施形態におけるエレベータのセキュリティシステムの構成について、図２を用いてさらに詳しく説明する。
【００３３】
図２は上記図１のセキュリティシステムの一部を詳細に示したブロック図である。一例を説明するにあたり、例えばマンションなどのビルにおいて、４階と１階を利用する乗客Ａを想定する。４階はこの乗客Ａの住居階であり、１階は玄関ホールがある階であるとする。
【００３４】
図２において、無線カード１０２ｃと無線カードアンテナ１０３ｃ、指紋認証装置１０４ｃは４階ホールに設置されている。また、無線・指紋認証共通制御盤１０６ｃは４階の昇降路内に設置されている。一方、無線カード１０２ａと無線カードアンテナ１０３ａ、指紋認証装置１０４ａは１階ホールに設置され、無線・指紋認証共通制御盤１０６ａは１階の昇降路内に設置されている。
【００３５】
無線カード１０２ａ〜１０２ｃと指紋認証装置１０４ａ〜１０４ｃには、予め乗客者の利用階を示す利用階情報と認証情報が格納されている。乗客Ａは、自身の利用階情報（４階と１階）と認証情報を有する無線カードを持つ。これに対し、このビルの管理者は、マスターカードとして認証情報のみが格納された無線カードを持つ。
【００３６】
乗客Ａが４階ホールに行くと、この乗客Ａの持つ無線カード１０２ｃの情報が無線電波にて発信され、４階ホールに設置されたアンテナ１０３ｃにより受信される。このアンテナ１０３ｃに受信されたカード情報は、４階ボックス１１８ｃ内に設置された無線・指紋共通制御盤１０６ｃに入り、認証部４００ｃへ送られる。
【００３７】
認証部４００ｃでは、無線カード以外に指紋認証装置１０４ｃが設置されている場合には、指紋認証装置１０４ｃから認証結果として得られる乗客Ａの利用階情報と認証情報が送られてくるのを待つ。
【００３８】
なお、本実施形態では、ホール側に設置された指紋認証装置１０４ａ〜１０４ｃにて乗客の指紋パターンの読み取りからその照合までも含めて行うようにしたが、例えば指紋認証装置１０４ａ〜１０４ｃ側では乗客の指紋パターンの読み取りのみを行い、無線・指紋共通制御装置１０６ａ〜１０６ｃ側でその読み取った指紋パターンを受け取り、データベースに照らし合わせて照合処理するような構成であっても良い。
【００３９】
また、本システムにおいて、無線カードだけで認証するか、指紋だけで認証するか、さらに、２つのを組み合わせて無線カード＋指紋で認証するのかは、例えばシステム納品時に任意に選択することができる。この場合、無線カードによる認証に加えて指紋認証を行えば、セキュリティレベルは上がるものの、指紋パターンとの照合に時間がかかる。
【００４０】
以下では、説明を簡単にするため、無線カードだけで認証する場合を想定して説明する。図３はその認証方法を説明するためのフローチャートである。
【００４１】
図３に示すように、無線・指紋共通制御盤１０６ｃでは、４階ホールで検知された無線カード１０２ｃの情報（利用階情報と認証情報）を受信すると（ステップ５００）、その受信したカード情報から認証情報を抽出して個人認証を行う（ステップ５０３）。
【００４２】
その際に、当該無線カード１０２ｃが認証用として有効なカードであるか否かを判断する。この判断は、データベース２０３ｃに予め登録されている認証拒否データ４１０ｃを用いて行う。
【００４３】
すなわち、認証拒否データ４１０ｃには、紛失等により認証拒否しなければならない無線カードのＩＤ情報が含まれている。そこで、上記ステップ５００にてカード情報から認証情報を抽出した際に、その認証情報に含まれているカードＩＤと上記認証拒否データ４１０ｃとして指定されたカードＩＤとを比較する（ステップ５０２）。その結果、両者が一致した場合、つまり、無線カードから取得した認証情報に紛失カードのＩＤ情報が含まれていた場合には（ステップ５０２のＹｅｓ）、その無線カードは紛失したカードであり、認証用として有効なカードでないものと判断して、当該無線カードを用いた認証を拒否する。このときに、例えば管理人に報知したり、警報ブザーを鳴らすなどの対策を施しても良い。
【００４４】
一方、認証情報に含まれているカードＩＤと上記認証拒否データ４１０ｃとして指定されたカードＩＤとが一致しなかった場合、つまり、無線カードから取得した認証情報に紛失カードのＩＤ情報が含まれていなかった場合には（ステップ５０２のＮｏ）、認証用として有効なカードであるとし、上記認証情報に基づいてデータベース２０３ｃを検索するなどして認証処理を行い、乗客者が誰であるのかを特定する（ステップ５０３）。
【００４５】
ここで、認証結果としてビルの管理者であることが判明した場合には（ステップ５０４のＹｅｓ）、利用階情報変換部４０１ｃにより管理者データ４１１ｃを生成する。管理者でなかった場合つまり一般乗客者であった場合には（ステップ５０４のＮｏ）、そのときのカード情報に含まれる利用階情報を読み取り（ステップ５０５）、その利用階情報とデータベース２０３ｃに記憶されている設置階とに基づいてホール呼び演算および行先階登録演算を行い、ホール呼び４０３ｃと行先階登録４０３ｃを生成する（ステップ５０６、５０７）。
【００４６】
ここでは、上記利用階情報は乗客Ａの利用する４階と１階であり、上記設置階は４階である。したがって、ホール呼び４０３ｃとして４階、行先階登録４０３ｃとして１階といったデータが生成されることになる。
【００４７】
図２に戻って、利用階情報変換部４０１ｃによって生成されたホール呼び４０２ｃと行先階登録４０３ｃのデータまたは管理者データ４１１ｃは、送受信部４０５ｃを通じて１階の無線・指紋認証共通制御盤１０６ａへ送られる。無線・指紋認証共通制御盤１０６ａでは、送受信部４０５ａでこれらのデータを受取る。
【００４８】
無線カード１０２ａと指紋認証装置１０４ａにおいての認証方法及び処理方法については無線カード１０２ｃと指紋認証装置１０４ｃと同じ動作なので、説明を省く。
【００４９】
全ての階の情報が無線・指紋認証共通制御盤１０６ａ内の送受信部４０５ａを通り、エレベータ用データ生成部４０７へ送られる。ここでエレベータ制御用にまとめられ、エレベータ通信部４０８によりエレベータインターフェース１０７を介してエレベータ制御盤１０８へ情報が伝えられる。
【００５０】
エレベータ制御盤１０８は、これらの情報を元に客先に応じたオペレーションを行う。すなわち、乗客Ａに対しては４階ホールから乗って来た場合には、乗りかご１０９を４階ホールに応答させた後、そのかご内行先階登録を１階にして、そこから乗客Ａを１階に直接に運ぶといった運行制御を行う。
【００５１】
また、ビルの管理者の場合には、管理者のみ不停止解除のオペレーションを行えるようにし、ホール呼び及びかご内行先階登録が自由に行える状態に切り替える。これにより、特に無線カードを用いた認証を行う場合において、従来のように管理者が複数枚のカードを持ち歩かなくとも、１枚のマスターカードだけを持ち、各階のホールにて自分が管理者であることを認証させるだけで、ビル内のすべての階へ自由に行くことができるので、ビルの管理業務がやりやすくなる。
【００５２】
次に、具体的な運用方法について説明する。
【００５３】
メンテナンス用スイッチボックス１１１にテンキー１１２、メンテナンス用のスイッチ類１１３〜１１６を設置する。テンキー１１２は取り外し可能であるが、スイッチ類１１３〜１１６については固定である。スイッチ１１３は設定モード／平常モードの切り替え、スイッチ１１４は削除モードの切り替え、スイッチ１１５は登録モードの切り替え、スイッチ１１６は特殊モード／平常モードの切り替えを行うためのものである。
【００５４】
ここで、無線カード１０２ａ〜１０２ｃには、それぞれに乗客の利用階情報が予め格納されているため、基本的に無線・指紋共通制御盤１０５ａ〜１０５ｃをメンテナンスする必要がない。この場合、運用面では乗客に合わせた利用階の設定は無線カード内のデータをメンテナンスするだけで対応できるため、管理人の負担がとても少なくて済む。したがって、例えば引っ越しなどにより当該ビル内のエレベータを利用する乗客に変更があっても、その都度、エレベータ保守業者へ依頼する必要がなくなる。
【００５５】
しかしながら、無線カード１０２ａ〜１０２ｃに利用階情報を入れておくと、カードを紛失した場合などに他人が悪用できてしまうため、セキュリティレベルを下げてしまうといった問題が発生する。そこで、このような問題を回避するため、紛失したカードのＩＤを無線・指紋共通制御盤１０５ａ〜１０５ｃへ認証拒否データとして登録しておくことにより、上述したように当該カードの悪用を防止することができる。
【００５６】
これについて、さらに詳しく説明すると、無線カードが発行されると、その無線カードに固有のＩＤが発番される。管理人はこのＩＤと乗客とを１：１対応させた表を作成することで、無線カードを管理する。もし、乗客が無線カードを紛失した場合には、上記表から該当するＩＤを調べた後、メンテナンス用ボックス１１１へ行き、テンキー１１２を接続する。そして、設定／平常のスイッチ１１３を「設定」側に切り替える。
【００５７】
この設定／平常のスイッチ１１３の切り替え操作により「設定」の信号が無電圧接点エレベータ用インターフェース１１７に送られる。これにより、ホールにおいて設定が始まると認識でき、その設定情報がエレベータインターフェース１０７を介して無線・指紋認証共通制御盤１０６ａへ送られる。無線・指紋認証共通制御盤１０６ａ内ではデータ保守部４０６ａにおいて、データのメンテナンス管理を行っており、設定が始まることを認知する。
【００５８】
次に、管理人は削除−切スイッチ１１４を「削除」側に切り替える。このときの「削除」の信号も上記「設定」の信号と同じ流れで、無線・指紋認証共通制御盤１０６ａへ送られる。ここで、管理人がテンキー１１２にて上記紛失したＩＤの番号を入力することで、データ保守部４０６ａにおいて、その入力されたＩＤが認識され、データベース２０３ｃに認証拒否データとして登録される。これにより、当該ＩＤを有する無線カードを用いた認証は拒否されることになる。
【００５９】
また、無線・指紋共通制御盤１０６ａでは、送受信部４０５ａにデータベース更新データを送り、無線・指紋共通制御盤１０６ｂや無線・指紋共通制御盤１０６ｃにも上記紛失カードのＩＤを転送することで、各階のホールで認証拒否する状態を設定する。
【００６０】
最後に、管理人は設定−平常りスイッチ１１３を「平常」側に戻し、また、削除−切のスイッチ１１４を「切」側に戻して作業が完了する。
【００６１】
このような簡単な操作により、紛失したカードのＩＤを登録しておけば、それ以後のカード利用ができなくなるため、他人が勝手に使用してビル内に侵入することを防ぐことができる。
【００６２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除しても良い。さらに、異なる実施形態にわたる構成要素を適宜組み合わせても良い。
【図面の簡単な説明】
【００６３】
【図１】本発明の一実施形態に係るエレベータのセキュリティシステムの構成を示すブロック図。
【図２】同実施形態におけるエレベータのセキュリティシステムの一部を詳細に示したブロック図。
【図３】同実施形態におけるエレベータのセキュリティシステムの認証方法を説明するためのフローチャート。
【符号の説明】
【００６４】
１０１ａ〜１０１ｃ…ホール、１０２ａ〜１０２ｃ…無線カード、１０３ａ〜１０３ｃ…アンテナ、１０４ａ〜１０４ｃ…指紋認証装置、１０５…昇降路、１０６ａ〜１０６ｃ…無線・指紋共通制御装置、１０７…エレベータインターフェース、１０８…レベータ制御盤、１０９…乗りかご、１１０…かご内スイッチ、１１１…メンテナンス用スイッチ類ボックス、１１２…テンキー、１１３〜１１６…メンテナンス用スイッチ類、１１７…無電圧接点エレベータ用インターフェース、１１８ａ〜１１８ｃ…エレベータ各階ボックス
１１９…ＨＵＢ、１２０ａ〜１２０ｃ…ホール呼びボタン、２０３ａ〜２０３ｃ…データベース、４００ａ〜４００ｃ…認証部、４０１ａ〜４０１ｃ…利用階情報変換部、４０２ａ〜４０２ｃ…ホール呼び、４０３ａ〜４０３ｃ…行先階登録、４０５ａ〜４０５ｃ…送受信部、４０６ａ〜４０６ｃ…データ保守部、４０７…エレベータ用データ生成部、４０８…エレベータ通信部、４０９ａ〜４０９ｃ…設置階、４１０ａ〜４１０ｃ…認証拒否データ。
【図１】
2005096945.tif 000003
【図２】
2005096945.tif 000004
【図３】
2005096945.tif 000005